(57)【要約】  本発明は、閉鎖位置において成形されることが好ましいヒンジ付き閉蓋具（１）に関する。閉蓋具は、ベース部（２）と、ヒンジ装置（４）によってベース部に連結されている蓋部（３）とを有する。掛止機構（１５）は、閉蓋具を首部（１２）に対して保持し、不要な開放を防ぐ。【選択図】  図１
2009507732.tif 000002
【特許請求の範囲】
【請求項１】
ベース部（２）と、ヒンジ装置（４）によって前記ベース部（２）に連結されている蓋部（３）とを備えている、首部（１２）との係合に適するヒンジ付き閉蓋具（１）であって、
前記蓋部（３）がその内面に、複数の第１のロック手段（１８）と、複数の第１のストッパ要素（３２）とを備えており、
前記複数の第１のロック手段（１８）が、互いに間隔を置いて横方向に配置されており、且つ、径方向内方に突出し、前記蓋部（３）の閉鎖位置において、前記首部（１２）に配置されている対応の第２のロック手段（１９）との係合に適しており、
前記複数の第１のストッパ要素（３２）が、当該閉蓋具を前記首部（１２）に装着したとき、前記首部（１２）に配置されている対応の第２のストッパ要素（４０）との係合に適している、ヒンジ付き閉蓋具。
【請求項２】
閉鎖位置において、前記蓋部（３）が前記ベース部（２）の上方に垂直（ｚ）に配置され且つ前記ベース部（２）に対して整列されるように、当該ヒンジ付き閉蓋具が成形されていることを特徴とする、請求項１に記載のヒンジ付き閉蓋具。
【請求項３】
少なくとも一つの前記ストッパ要素（３２，４０）が、前記ベース部２に配置されており、前記蓋部（３）と前記ベース部（２）との間の調和運動が、前記ヒンジ装置４によって伝達されることを特徴とする、請求項１又は２に記載のヒンジ付き閉蓋具。
【請求項４】
前記第１のロック手段（１８）が互いに対して等間隔に配置されていることを特徴とする、請求項１〜３のいずれか一項に記載のヒンジ付き閉蓋具。
【請求項５】
前記第１のロック手段（１８）間の横方向間隔が、前記第２のロック手段（１９）の横方向長さより大きいことを特徴とする、請求項１〜４のいずれか一項に記載のヒンジ付き閉蓋具。
【請求項６】
前記第１のロック手段（１８）の少なくとも一つが、前記ヒンジ装置（４）のエリアに配置され、前記ヒンジ装置（４）を少なくとも部分的に横切って延びていることを特徴とする、請求項１〜５のいずれか一項に記載のヒンジ付き閉蓋具。
【請求項７】
前記第１のロック手段（１８）の少なくとも一つが、前記ヒンジ装置（４）に隣接して配置されていることを特徴とする、請求項１〜６のいずれか一項に記載のヒンジ付き閉蓋具。
【請求項８】
前記ヒンジ装置４が第１の台形要素（５）及び第２の台形要素（５）を備えており、前記第１の台形要素（５）及び前記第２の台形要素（５）のそれぞれは、フィルムヒンジ（６）によって、当該閉蓋具の下部部分（２）及び当該閉蓋具の上部部分（３）に相互連結されていることを特徴とする、請求項１〜７のいずれか一項に記載のヒンジ付き閉蓋具。
【請求項９】
当該閉蓋具（１）を開閉するとき、前記蓋部（３）及びベース部（２）が互いに対して調和して回動するように、前記台形要素５が設計されていることを特徴とする、請求項８に記載のヒンジ付き閉蓋具。
【請求項１０】
当該閉蓋具（１）を開閉するとき、前記蓋部（３）及びベース部（２）が互いに対して調和せずに回転するように、前記台形要素５が設計されていることを特徴とする、請求項８に記載のヒンジ付き閉蓋具。
【請求項１１】
前記台形要素（５）が垂直のフィルムヒンジ７によって相互連結されていることを特徴とする、請求項８〜１０のいずれか一項に記載のヒンジ付き閉蓋具。
【請求項１２】
当該閉蓋具（１）の前記下部部分（２）及び前記上部部分（３）が、環状ギャップ（１０）によって画成されることを特徴とする、請求項１〜１１のいずれか一項に記載のヒンジ付き閉蓋具。
【請求項１３】
当該閉蓋具（１）の前記上部部分（３）と前記下部部分（２）との間に、当該閉蓋具１を最初に開けるとき破壊される、破壊しやすい要素１１，１６が配置されていることを特徴とする、請求項１〜１２のいずれか一項に記載のヒンジ付き閉蓋具。
【請求項１４】
前記ロック手段（１８，１９）の数が、前記ストッパ要素（３２，４０）の数と異なる、請求項１〜１３のいずれか一項に記載のヒンジ付き閉蓋具。
【請求項１５】
前記ロック手段（１８，１９）の相互作用表面が、所定のリード角（β）で、少なくとも部分的に配置されていることを特徴とする、請求項１〜１４のいずれか一項に記載のヒンジ付き閉蓋具。
【請求項１６】
請求項１〜１５のいずれか一項に記載のヒンジ付き閉蓋具（１）との係合に適する首部（１２）であって、
当該首部１２が、前記閉蓋具（１）の前記蓋部（３）の内面に配置されている前記第１のロック手段（１８）を受けるのに適する第２のロック手段（１９）と、前記閉蓋具（１）の前記ベース部（２）との係合に適する保持手段（３０，３１）とを備えることを特徴とする、首部。
【請求項１７】
前記保持手段が、溝（４３）によって間隔を置いて配置される第１の保持リム（３０）及び第２の保持リム（３１）である、請求項１６に記載の首部。
【請求項１８】
閉鎖位置においてベース部（２）及び蓋部（３）がヒンジ装置（４）によって相互連結されるように成形されたヒンジ付き閉蓋具（１）を開放するための方法であって、
（ａ）  首部（１２）の軸（Z）に整列されている軸（Ａ）を中心に前記閉蓋具（１）を回転することによって、径方向外方に突出している、前記首部（１２）に配置されている複数の第２のロック手段（１９）間に、径方向内方に突出している、前記蓋部（３）の外面に配置されている複数の第１のロック手段（１８）を整列するステップと、
（ｂ）  封止手段（２６）、前記第１のロック手段（１８）及び前記第２のロック手段（１９）が係合を解除するまで、前記蓋部（３）を持ち上げるステップと、
（ｃ）  ヒンジ装置（４）によって調和する形で、前記蓋部（３）を前記首部（１２）の開口部（１３）から離れるよう移動するステップと、
を含む、方法。
【請求項１９】
前記蓋部（３）が前記ベース部（２）に対して非円形経路で移動されることを特徴とする、請求項１８に記載の方法。
【発明の詳細な説明】
【発明の分野】
【０００１】
本発明は、容器の首部に装着するのに適するヒンジ付き閉蓋具、及び、特許請求の範囲における独立項のプリアンブル部に記載されたヒンジ付き閉蓋具用として適する容器の首部に関する。
【発明の背景】
【０００２】
国際公開第２００５／００７５２６号パンフレットは、閉鎖位置において、炭酸飲料用として適するように成形されたヒンジ付き閉蓋具に関する。この閉蓋具はヒンジ及び掛止機構を備えており、これらは、望ましくない開放を防ぐことができるように、閉蓋具をしっかりとロックするのに適している。シールは、内側に配置されており、閉鎖位置において、容器の首部に気密に係合する。
【０００３】
米国特許第５３３５８０２号明細書は、閉鎖位置で成形された閉蓋具を開示している。この閉蓋具はチューブ状のベース部及びキャップ部からなり、これによって、閉鎖位置において、キャップ部の外輪郭はベース部の内輪郭内にある。キャップ部及びベース部は、メインヒンジ連結部を含むスナップヒンジによって互いに連結されて単一ユニットとなる。スナップヒンジから延びることによって、キャップ部及びベース部は、いたずら防止（tamper evidence）用安全ストラップにより一緒に追加的に連結される。この閉蓋具は、飲料、特に内圧のある飲料に適しない。側壁が閉蓋具のベース部に対してある角度（傾斜した）で配置されるため、閉蓋具は相対的に多くのスペースを必要とする。さらなる不利な点は、閉蓋具の本体部と蓋部との間のメインヒンジ連結部にあり、これは、移動自由の著しい制限をもたらす。蓋部の開放位置は、閉鎖位置に対して一般的に９０°にある。この開放角は飲料閉蓋具用としては不十分である。
【０００４】
欧州特許第１１４７０５４号明細書は、スナップヒンジによって互いに連結されている閉蓋具の本体部及び蓋部を有する、蓋付きの押出しプラスチック閉蓋具に関する。スナップヒンジはメインヒンジ連結部がなく、それによって、１８０°を超えるかなり大きい開放角に達することができる。オリジナル保証シールとして機能するいたずら防止手段が考えられる。所望の場合には、動的要素及び対応要素がロック機構となり、閉蓋具の偶発的な開放を防ぐ。
【０００５】
特開２００２−３７０７５５号公報は、その首部に残留する内容物を減らすことのできるチューブ状容器に関する。このチューブ状容器は、チューブ状本体部と、このチューブ状本体部の首部に接する開口部に成形されているヒンジキャップ部とを備えている。ヒンジキャップ部は、蓋本体と、ヒンジを介して一体となった上蓋とから形成されている。ヒンジキャップ部の下部は、バイオネット型のロック部（差込み口）を介してチューブ状首部に取り付けられている。四つのL状溝が首部周辺のエッジに形成されており、ヒンジキャップのベース部にある四つの対応する突起と連結される。閉蓋具のベース部を首部にロックするために、突起はＬ状溝に挿入され、その後、ヒンジキャップのベース部は回転によってロックされる。しかしながら、閉蓋具の蓋部はロックされず、これによって、制限なしに開いたり閉じたりすることができる。
【０００６】
本願と同じ発明者の米国特許公開第２００４０２５６３４７号明細書は、容器への取付けに適する閉蓋具に関する。この閉蓋具は、スカート部を有する頂部部分と、容器の先端部に係合可能な保持リングとを備えている。保持リングはヒンジでスカート部に連結されている。この閉蓋具は、第１の垂直部分と、第１の垂直部分に対してある角度で配置されている第２の部分とを有する環状の封止リブを更に備えている。第２の部分は、閉蓋具を容器の先端部に装着するとき、容器の先端部と閉蓋具との間にシールを形成するように、容器の先端部が封止リブの第２の部分に接触して、それを上向きに及び少なくとも第１の部分に向かって押すことができるものである。この閉蓋具は、内圧を生ずる炭酸飲料に適するものとして開示されている。一つの問題は、閉蓋具が、装着されるべき首部にしっかりと保持されず、漏れが防止できないことにある。さらなる問題は、閉蓋具及び保持リングが、自由移動を著しく制限する短いヒンジのみによって連結されるという事実によって、蓋部が完全に開けられないことにある。
【０００７】
米国特許第５５２９２０１号明細書は、口部と、それに結合した内部装着フランジとを有する給油口用の閉蓋具アセンブリに関する。給油口の口部用閉蓋具は、本体と、本体に固定されている内部保持具とを備えている。内部保持具は、硬い部分と、片持ち式の柔軟な部分とを有する。閉蓋具が回転することによって、初期的に、閉蓋具の部材がフランジによって保持されることができるように、保持具の堅い部分をフランジに係合させ、続いて回転することによって、片持ち式の柔軟な部分を閉蓋具の回転軸に対して軸方向下向きに偏向させる。この閉蓋具は、保持具（バイオネット式の取付具）のバイオネットタイプによって、給油口内に固定される。
【０００８】
欧州特許第１６１８８０９号明細書は、取付け要素の複数のセットによって、ボトルの首部に取り付けることができる一体の安全キャップに関し、取付け要素のセットの一つは、ボトルを中心に回転するときにキャップの軸移動を与えるカムと、バイオネット型の固定部とを備える。取付け要素の一つは、キャップの内部に取り付けられ、他は、ボトル首部の外部に取り付けられる。
【０００９】
バイオネット型取付け具又はバイオネット型コネクタは、ライフル銃身又はそれと同じ武器の銃口に又はそれを亘って固定されるために設計されるナイフ状武器又は短刀状武器の固定に一般的に用いられる可逆性締結機構である。バイオネット型コネクタは、一つ以上のピン又はスロットを有する雌面と、それに適合するスロットを有する雌レセプタとを有する組み合わされた面に一般的に依存するものである。二つの面を結合するために、ユーザは、雄上のピンを雌上のスロットと整列し、二つを一緒に押す。ピンがスロットの末端に達すると、二つの面は、ピンを垂直スロットに案内するように反対方向で回転されて、脱落が防止される。
【解決しようとする課題】
【００１０】
本発明の一つの目的は、閉鎖位置において、炭酸飲料に関連して用いるために適するように成形されたヒンジ付き閉蓋具を提供する。本発明の更なる目的は、容器、特に、本発明による閉蓋具に連結されるために用いられる首部を提供する。
【発明の概要】
【００１１】
本発明による閉蓋具は、概して述べるならば、リング状下部部分（本体部）及びキャップ状上部部分（蓋部）を備えており、上部部分は、下部部分に対してヒンジによって機能的に相互連結されている。閉蓋具の蓋部は、同じ材料又は異なる材料で作られた少なくとも一つの内蔵式の第１の封止装置及び／又は少なくとも一つの独立した第２の封止装置を一般的に組み込んでいる。封止装置は、対応する首部に対応状態で相互作用するように設計されている。
【００１２】
閉蓋具の下部部分及び上部部分は、ヒンジ構造によって相互連結されている。ヒンジ構造は、スナップ効果を有する活性のものでも、スナップ効果を持たない不活性のものでもよい。所定の適用のために、単一のメインヒンジによって直接連結されることはできるが、例えば、閉蓋具の開放角及びその構造安定性に対して著しい限界をもたらす。閉蓋具の部品は、例えば、ロック手段又はいたずら防止若しくは初期開放を示す手段等のような更なる手段によって、直接的に又は間接的に連結されてもよい。適切な場合には、閉蓋具は、例えば、切取式バンド又は破壊しやすいブリッジ等のいたずら防止手段を備えており、これらは、初期使用時又は初期使用前に除去されるか破壊されて、閉蓋具の最初の開放を示す。適切な場合には、パッケージを外部影響から保護するために及び／又は初期開放を示すために、閉蓋具は、例えば、収縮性ホイル（収縮包装）のような材料の除去可能な薄いホイルによって覆われてもよい。
【００１３】
閉蓋具のリング状下部部分（本体部、特に閉蓋具のベース部）は、第１の締結手段（保持手段）を一般的に備えており、これは、首部に配置されている対応する対向の締結手段（例えば、軸方向で間隔を置いているビーズのようなもの）との協働によって、閉蓋具の下部部分を首部（例えば、容器の首部）に固定するのに適している。閉蓋具の上部部分は、第２の締結手段を備えており、閉蓋具の上部部分（蓋部）を首部に取外し可能に固定する。
【００１４】
一実施形態において、蓋部の第２の締結手段はバイオネット型のものである。このバイオネット型の第２の締結手段は第１のバイオネット部分を備えており、その第１のバイオネット部分は、径方向内方に突出しており、閉蓋具の閉鎖位置において、対応する第２のバイオネット部分と相互作用するのに適する。第２のバイオネット部分は、例えば首部に配置されており、径方向外方に突出している。ヒンジによって定められた経路で、蓋部が下部部分に対して移動するとき、（蓋部が首部の上方に配置されると、）第１及び第２バイオネット部分が、第１方向（回転軸の方向、特に、閉蓋具の軸）において互いに噛み合うことができるように、第１及び第２のバイオネット部分が設計されており、配置されている。第１及び第２のバイオネット部分が互いにしっかりと噛み合い、閉鎖位置において、閉蓋具を相対軸の移動に逆らって保持することができるように、その後、閉蓋具の軸（回転軸）を中心に所定角度、少なくとも閉蓋具の蓋部を首部に対して回転することによって、首部に対して蓋部を連動するように結合することが可能となる。閉蓋具の回し過ぎを防ぐために、ストッパ要素は以下のように考えてもよい。例えば、バイオネット部分がストッパ要素として働くことができるように設計されるか、追加的なストッパ要素が蓋部及び首部の間のエリアに配置されるかすることができる。このような配置構成は、バイオネット部分が、出願の特定分野に適しないかなり複雑な設計を含むという不利を有する可能性がある。一実施形態において、閉蓋具の蓋部は、少なくとも閉蓋具の閉鎖位置において、捩じられて完全に閉蓋具のベース部に相互連結されており、代替的に又は追加的に、閉蓋具の回し過ぎを防止するストッパ要素が、閉蓋具（本体）の下部部分と首部との間のエリアにあると考えてもよい。これは更なる利点を有し、首部がより単純なものとなり、金型の設計において、より単純な金型設計に起因して、不利な妨害アンダカットを避けることができる。
【００１５】
適切な場合、首部に対して蓋部を回転することによって、蓋部のシールが首部に対してしっかりと引き当てられることができるように、バイオネット部分が設計又は配置され得る。これは、例えば、第１及び第２のバイオネット部分が、周方向に対してある角度で、少なくとも部分的螺条形状に配置されるか、斜面を含むことで達成できる。一実施形態において、バイオネット部分は、周方向において、等間隔で横方向に離れて配置され、閉蓋具の軸（回転軸）に対して同じ高さ（レベル）で配置されるか、又は異なるレベルで互い違いに配置される。効率を向上させるために、バイオネット部分は複数列に配置されてもよい。
【００１６】
一実施形態において、蓋部及び本体部は、一般的に、対応する主直径をもつ円筒状の設計を有する。このような閉蓋具において、国際公開第２００５／００７５２６号パンフレットに記載のヒンジが、いくつかの理由により有利である。しかしながら、本発明による閉蓋具は、高い温度範囲及び大きな外部の機械的負荷条件の下で、巨大な内圧にしっかりと対抗することができるように作られている。
【００１７】
本発明による閉蓋具は、封止ライナを有する状態又はか有しない状態で、一般的に作られている。その封止ライナは、例えばポリエチレン（以下ＰＥという）又はポリプロピレン（以下ＰＰという）のような様々なタイプのプラスチックからなる。後者（ＰＰ）は、閉蓋具の殻材料として殻の製造に用いられる。ＰＥよりＰＰは、堅く、耐久性がない。比較的に柔軟な材料が、ヒンジ付き閉蓋具の殻材料としてしばしば用いられ、例えば、低密度ＰＥ（ＬＤＰＥ）、エチレンビニルアセテート（ＥＶＡ）、ポリオレフィン系天然材料による化合物又はＤａｒｅｘのようなＥＶＭ系材料がある。ポリプロピレンのようなより堅い材料が、ヒンジ付き閉蓋具の殻材料としてしばしば用いられる。適当な場合には、バリヤライナが、封止ライナと閉蓋具の殻（蓋部）との間に適用され、不要なガス通過を防ぐことができる。バリヤライナは、好ましくは射出成形によって、ポリ塩化ビニリデン（ＰＶＤＣ）等のバリヤライナ材料から作られる。ＰＶＤＣは、樹脂及びフィルムの形状で製品をラッピングするための商標Ｓａｒａｎ（登録商標）で、古くから知られている。ＰＶＤＣは、塩化ビニリデンと、例えば、アクリルエステル及び不飽和カルボキシル基のようなモノマーとを重合して、塩化ビニリデンの長い鎖を形成することによって作られる。共重合によって、ガス又は水が殆ど通過することができない、強い分子結合を有するフィルムをもたらす。結果として、酸素、湿気、化学性質及び熱性質に耐えるバリヤが、食品、消費者及び工業製品を保護するために用いられる。ＰＶＤＣは、酸素、水、酸、塩基及び塩の耐性を有する。代替的に又は追加的に、バリヤライナは、Ｐｌａｎｔｉｃ（登録商標）等のような生物分解性の材料から作られてもよい。出願分野及び用いられる材料に応じて、バリヤライナは、射出成形、圧縮成形、共押出加工又はスタンピングによって、一枚の材料で作ることができる。
【００１８】
本発明による閉蓋具の外殻、封止手段及びバリヤライナは、単一射出成形工程によって、一般的に互いに強く結合している。
【００１９】
一実施形態において、バリヤライナは、閉蓋具の外殻と封止手段との間に少なくとも部分的に配置される。しかしながら、適用分野及び閉蓋具の構成に応じて、バリヤライナの一部分は、容器及び／又は環境の内側に貯蔵されている物（液体）に晒されてもよい。封止手段は、容器の首部と閉蓋具の外殻（特に、バリヤライナ）との間に一般に配置され、閉鎖位置において、強い相互連結を形成する。
【００２０】
バリヤライナを有する状態又は有しない状態の本発明によるツーピース型の閉蓋具は、単一の複数成分用金型で、一つの射出成形工程、特に二成分射出成形工程、さらに、三成分射出成形工程によって形成されることが好ましい。これによって、下向き脚部（口径シール及び／又は外側シール）を有するか有しない封止ライナは第１プラスチック材料で作られ、第１プラスチック材料は、液状で、金型キャビティのコアの中にある第１キャビティに注入され、そこで、第１材料が封止ライナ凝固物を形成する。これによって、封止ライナは、特に、様々なプロセス工程の間で、封止ライナが上記コアをもって移動することができるように、封止ライナが、一時的にコアに固定されることを保証する保持手段を含んで造形されることが好ましい。コアと一時的に連結されるが、取り外すとき、保持力を損なわない、少なくとも一つの下向き脚部を封止ライナに有するとよい。
【００２１】
その後、適当な場合には、バリヤライナは封止ライナ背面の少なくとも一部分に取り付けられる。例えば、封止ライナは、例えば、０°の第１位置に対して９０°の角度にある第２位置に移動し、そこで、予め作られたバリヤライナが手動で取り付けられる。代替的に又は追加的に、金型にコアを形成することができ、それは、バリヤライナを形成する材料を注入するキャビティを形成するために配置される。例えば、封止ライナを形成するために、フロントエリアに対して移動できるキャビティのバックエリアを設計することができる。例えば、バリヤライナ用キャビティは、フロントエリアに対してバックエリアを特定距離で動かすことによって形成されてもよく、その特定距離は、バリヤライナの厚さに一般的に対応する。これによって、封止ライナはキャビティのフロントエリア又はバックエリアのいずれかに取り付けられる。代替的に又は追加的に、第１位置（０°）に対して０°〜９０°の位置にあるコアに配置されている封止ライナを移動することができる。これによって、９０°の位置において、ライナはキャビティの中に包まれ、その後、バリヤライナを形成するための材料がキャビティに注入される。金型の構成に応じて、バリヤライナが注入されるとき、０°の位置にあるキャビティの中に、更なる封止ライナを形成するための材料を同時に注入すことができる。バリヤライナは、外部援助なしに、バリヤライナが封止ライナに保持されるように成形されることが好ましい。閉蓋具を作るとき、バリヤライナが少なくとも部分的に封止ライナと協働し、少なくとも部分的に封止ライナを保持して協働することができるように、バリヤライナは、三次元に成形されることができる。例えば、バリヤライナ及び／又は封止ライナは、封止ライナ及び／又はバリヤライナにある対応する凹みと噛み合う、少なくとも一つ突起部を備える。代替的に又は追加的に、バリヤライナは、真空によって一時的に封止ライナに保持されることができるように造形され得る。適用分野に応じて、さらに、特定タイプの接着剤又は糊を用いることができる。
【００２２】
さらなるステップにおいて、封止ライナ（所望のとき、バリヤライナ）は、第１のコアと共に第３のキャビティ位置（例えば、０°位置に対して１８０°にある）に移動される。そこで、閉蓋具の外殻用のさらなる材料の成分が、さらなるキャビティに注入されて、少なくとも一つの円盤状頂部部分と閉蓋具の外側スカートを形成する。これによって、少なくとも封止ライナ材料と外殻材料は、一般的に互いに完全に結合する。
【００２３】
製品プロセスを最適化するために、第１のコアと接しない、封止ライナのキャビティにあるエリアは、封止ライナが、不要な保持力なしに第１のキャビティから取り出すことができるように造形されることが好ましい。したがって、コアの移動方向に対して主に垂直に延びている妨害アンダカットを回避される。上記射出金型プロセスによって、ライナと殻材料との間に強い結合が得られる。
【００２４】
封止ライナは、（特に、閉蓋具を製造するとき、）封止ライナに対してバリヤライナを位置決めし整列する手段を備えてもよい。例えば、封止ライナは、下向き脚部を備えてもよく、これは、閉蓋具の円盤状頂部部分に対して略垂直（概ね閉蓋具の軸に重なる）に配置される。この下向き脚部は、下向き脚部と同軸で配置されている環状キャビティ又は一連の複数のキャビティを裏側に備えてもよく、これらは、バリヤライナ用締結手段として働き、封止ライナ上に、別々の外部過程によって作られる要素として又は射出によって作られる要素として設けられる。
【００２５】
一実施形態において、閉蓋具の封止ライナ及び外殻によって、バリヤライナが完全に囲まれるように、封止ライナは、閉蓋具の外殻に少なくとも部分的に結合している。これは、外殻及び封止ライナの材料に結合される必要のない、バリヤライナ用材料を選ぶ機会を提供する。さらなる利点は、本発明の閉蓋具が従来技術で知られている閉蓋具とは異なって、汚染の傾向がなく、必要な場合に簡単に消毒することができる。
【００２６】
別の実施形態において、バリヤライナは、閉蓋具の封止ライナと外殻との間に中間層を形成するよう設計されてもよい。しかしながら、これによって、互いに結合する、封止ライナ用、バリヤライナ用及び外殻用の材料が必要であり、これは、利用できる材料の選択の余地を減らす。
【００２７】
封止ライナが透明な材料で作られるときには、消費者宛の情報を、その情報が閉蓋具の内側から見えるように、封止ライナと殻の間に置くことが可能となり、蓋部の殻が透明な材料で作られるときには、外側から見える。バリヤ材料が不透明な材料で作られるときには、外側から及び内側から見える有用な色々な情報を作ることさえ可能となり、この際、この情報は、例えば、バリヤライナの両面
に印刷される。バリヤライナは、金型の外側で印刷されてもよく、情報は、インモールド式のラベルによって提供されてもよい。印刷された表面は、封止ライナ及び閉蓋具の殻によって完全に包み込まれる点で、汚染の危険性が最小限になる。
【００２８】
高い内圧下でもしっかり塞ぐ耐圧閉蓋具を得るために、封止手段は、閉蓋具の外殻の外側スカートの内側に配置されているほぼ円筒状に成形された内側スカートを有する下向き脚部を備えてもよく、それは、環状頂面から閉蓋具へ垂直に延びており、外側スカートと径方向で離れており、閉蓋具の外殻及び／又はライナの材料で作られる。内側スカートは、その底辺において、閉蓋具の円盤状上部部分に直接連結されることが好ましい。適用分野に応じて、脚状の内側スカートは、閉蓋具の外側スカートと機能的に又は堅く連結されてもよい。しかしながら、これは、閉蓋具が、ボトルの首部の放射状歪みへの調整に対して柔軟ではないことと関係するであろう。内側スカートの内側において、閉蓋具の外殻と同じ又は異なる材料で形成された封止ライナが配置されている。この封止ライナは、閉蓋具の外殻より柔らかい材料で作られることが好ましい。出願分野に応じて、その横断面に対して、封止ライナは、外殻の内側スカートに沿って少なくとも部分的に延びている外側の下向き脚部を備えてもよく、その近くにあってもよい。ライナの外側下向き脚部又は外殻の内側スカートは、それらの自由端において、略環状の封止リングを備えてもよく、その環状封止リングは、閉蓋具の閉鎖位置において、略円筒状の外側自由面を有する外面から径方向にある容器の首部に連結されており、設計された連結表面を介して、環状頂面と容器首部の外側螺条の開始部との間に配置されている。連結表面は、起こりうる閉蓋具の変形の影響（例えば、ドームにすること、上部の外側縁におけるボトル端部のダメージ、閉蓋具の持上げ）を減らすことができるように、ボトルの首部の自由面にできるだけ遠く配置されている。環状封止リングは、主に環状張力によって封止されることができるように成形されることが望ましい。したがって、環状封止リングは環状突起部を備えており、それは、容器の首部に向かって連結部に配置されている。首部の内側表面への作用による環状圧力に主に左右される従来技術のシールとは相違して、本実施形態の環状シールは、環状張力により主に封止している。適用分野に応じて、封止手段の成形によって、閉蓋具の外側スカートとの連結及び画成された相互作用が望ましいが、容器の首部の放射状歪みへの調整機能が少なくなる。
【００２９】
封止ライナは、容器の首部の環状頂面と相互作用する頂部シール及び／又は容器の首部の開口に延びているボアシールを更に備えてもよい。従来技術と異なり、本発明は、容器の首部に対して整列して具体的なアンダカット部位を作成し、且つ、封止手段と容器の首部との間に、増加された相互作用の連結ゾーンを形成する機会を提供する。ここに記載の封止手段の一利点は、損傷されたボトルの首部に装着されたときの封止手段の改良された性能にある。特に、その理由により、上記の封止手段は、地味な、損傷を受けそうにないエリアにおいて、首部に相互作用する。
【００３０】
金型の利用率を最適にするために、閉蓋具は、円筒状又は真っ直ぐな側壁を有することが好ましい。この実施形態は、金型の設計において、閉蓋具が、離型が困難なアンダカットをしばしば備える円筒状側壁を有するためであると考えるべきである。閉蓋具用金型キャビティは、閉蓋具の内側形状を画成するコア及び閉蓋具の外側形状を形成する少なくとも二つの金型半体を一般的に備えている。ストリッピングリング等の更なる要素は、コアから閉蓋具を除去するか、閉蓋具を離型するために必要である。
【００３１】
上記問題を解決するために、様々な成形関連態様は閉蓋具の設計構成にあると考えられる。技術的及び経済的な理由から、ヒンジ付き閉蓋具はコアからストリッピングされることが好ましいと考えられる。ストリッピングリングを、閉蓋具の内面を形成する金型のコアの表面に沿って移動することによって、よい結果が得られる。ストリッピングリングとヒンジの間の衝突を防止するためには、特にヒンジが、閉蓋具の内面にコアのメイン半径（直径）に亘って突き出ないような方法で設計されることが重要である。閉蓋具の内面が、最大内部直径を有する閉蓋具の内側主側壁上に、径方向に突出する形状がないように設計されることが望ましい。これによって、閉蓋具は簡単な方法で（例えば、頂壁の内側及び下から押すことによって、）金型から除去することができ、金型の設計はこれにより簡単になる。ヒンジ設計もこの観点に置かれ、すなわち、ヒンジ装置の内面は、少なくとも、略平面に設計されたフィルムヒンジのエリアにある。最高のヒンジ性能を得るために、フィルムヒンジは真っ直ぐに設計されるべきである。
【００３２】
容器の開口部を封止するための様々な封止構想は、適用分野に応じて適用することができる。好ましい封止手段は、一般的に、開口部である首部の上側リムを取り囲むか、開口部に少なくとも部分的に延びており、内側からプラグとして働く。
【００３３】
従来ヒンジに対して、ここに記載のヒンジ機構は、閉蓋具の部品との間にメインヒンジ連結を有しない、欧州特許第０７１９５１２号明細書、欧州特許第０８３６５７６号明細書及び欧州特許第１０７５４３２号明細書に記載の改良された協働型多軸ヒンジ機構であることが好ましい。これによって、技術状況から分かるヒンジに伴う（例えば、弱いスナップ効果、不十分な開放角又は折れやすいヒンジ等の）制限は克服できるであろう。
【００３４】
本発明による閉蓋具は、閉鎖位置に成形されている、改良されたヒンジ付き閉蓋具に関し、特に、加圧飲料用ヒンジ付き閉蓋具に関する。閉蓋具は、高い内圧下でも繰り返して閉蓋具をロックする機会を提供する掛止機構を備えている。閉蓋具は、予測してない初期開放を防ぎ、初期開放を示すためのいたずら防止手段をさらに備える。
【００３５】
本発明による閉蓋具の一実施形態において、掛止機構は、閉蓋具の蓋部と、首部との間及び／又は閉蓋具のベース部との間で起きる内部及び外部の力を周方向に均一に分配する、バイオネット結合タイプのものである。閉蓋具はヒンジ装置をさらに備えており、それは、ヒンジを介して閉蓋具の蓋部及びベース部に連結されている第１及び第２の台形要素を有する。一実施形態において、閉蓋具の蓋部はいくつかの第１のロック手段を備えており、それは、径方向内方に突出しており、等間隔で横方向に配置されている。さらなる一実施形態において、少なくとも一つのロック手段がヒンジのエリアに配置されている。例えば、第１のロック手段がヒンジの台形要素を少なくとも部分的に横切って延びている。さらなる一実施形態において、ロック手段が、ヒンジ連結部の近くに側面に沿って配置されるか、そのヒンジ連結部に部分的に重なり合って配置されており、閉鎖位置において、首部の対応するロック手段に連結されるのに適する。
【００３６】
閉蓋具との連結に用いるために適する容器の首部は、外面に、対応する第２のロック手段を備えており、それらのロック手段は、閉蓋具の第１のロック手段と係合できるように、径方向外方に突出しており、互いに間隔を置いて配置されている。首部に対して閉蓋具を回転させることによって、閉蓋具の第１のロック手段が、閉蓋具の蓋部が首部にしっかりと固定されるように、首部の第２のロック手段と係合されてもよい。
【００３７】
本発明による閉蓋具の封止手段は、閉蓋具の他の部位と異なる材料で作られることが好ましい。封止手段は、略Ｐ形状にある外側下向き脚部を備えており、それは、閉鎖位置において、首部の自由外面と係合される。追加的に又は代替的に、封止手段は内部シールを備えており、それは、首部の開口部の内側に作用する。
【００３８】
本発明は、閉鎖位置においてベース部とヒンジによってベース部に相互連結されている蓋部とを有する、成形されたヒンジ付き閉蓋具に関する。蓋部は、内面に、複数の第１のロック手段を備えており、それらのロック手段は、互いに間隔を置いて横方向に離れて配置されており、径方向内方に突出しており、容器の首部の外面に配置されている対応する第２のロック手段との係合に適する。
【００３９】
一実施形態において、第１のロック手段は、互いに等間隔で配置されている。第１のロック手段間の横方向の間隔は、第２のロック手段の横方向の長さより大きくてもよく、それらは、台形状に重なってもよい。所望のとき、第１のロック手段の少なくとも一つが、ヒンジが蓋部をしっかりと保持するエリアに配置されている。内圧がかかっている場合、閉蓋具を開けるとき、封止手段を開放する等の前に折れやすい要素（ブリッジ）を壊すことが好ましい。代替的に又は追加的に、切取りバンドは、いたずら防止手段として考えられてもよい。適当な場合には、切取り手段（例えば、首部から延びている）が考えられる。それは、封止手段を開放する前にブリッジを破壊する。
【００４０】
本発明の一実施形態は、容器又はボトルの首部との係合に適するヒンジ付き閉蓋具に関する。閉蓋具は、ベース部と、ヒンジ装置によってベース部に連結されている蓋部とを備える。蓋部は、外面に第１のロック手段（バイオネット部分）を備える。これらの第１のロック手段は、互いに間隔を置いて横方向に配置されており、径方向内方に突出しており、蓋部の閉鎖位置において、首部（例えば、首部の外面）に配置されている対応する第２のロック手段（バイオネット部分）との係合に適する。閉蓋具は第１のストッパ要素を更に備えており、それは、閉蓋具が首部に装着されるとき、首部に配置されている対応する第２のストッパ要素と係合するのに適する。閉蓋具は、首部の開口部を閉鎖するためのシールを更に備える。閉鎖位置において、ヒンジ付き閉蓋具は、本体に対して整列され、上に垂直に配置されている蓋部を有するように成形されることが好ましい。適切な場合には、少なくとも一つのストッパ要素が閉蓋具のベース部に配置され、ベースに対する蓋部の調和は、ヒンジ装置によって与えられる。適切な場合には、少なくとも一つの第１のロック手段がヒンジ装置のエリアに配置され、ヒンジ装置を少なくとも部分的に横切って延びる。代替的に、少なくとも一つの第１のロック手段がヒンジ装置の近くに配置される。一実施形態において、ヒンジ装置は、第１及び第２の台形要素を備えており、それぞれ、フィルムヒンジによって、閉蓋具の下部部分及び閉蓋具の上部部分に連結されている。その台形要素は、十分に剛性を有するよう設計されており（例えば、横断面の設計によって）、閉蓋具の開放及び閉鎖時に、閉蓋具の蓋部及びベース部は、互いに対して協働して回転することができる。台形要素が捩じれに関して弱く作られるという場合には、例えば、二つのステップを有する状態又はステップを有しない状態で調和動作が得られないようにすることもできる。適切な場合には、台形要素は、垂直のフィルムヒンジによって互いに連結されている。本発明による閉蓋具に連結して用いるために適する首部は、一般的に、第２のロック手段及び保持手段を備えており、第２のロック手段は、蓋部の内面に配置されている第１のロック手段との係合に適し、保持手段は、閉蓋具のベース部をしっかりと保持するために、閉蓋具のベース部との係合に適する。
【００４１】
本明細書で開示する本発明は、添付の特許請求の範囲に記載された本発明を限定すると考えてはいけない下の詳細な説明及び添付図面からより完全に理解されるであろう。
【実施形態の詳細な説明】
【００４２】
添付図面に関連して検討するとき、本発明は、本明細書に記載の本発明の四つの実施形態を述べたこの「実施形態の詳細な説明」によってより良く理解できるであろう。なお、様々な図面において対応する要素は全体的に対応する参照番号で表されることは理解されたい。
【００４３】
図１は、正面斜視図で本発明によるヒンジ付き閉蓋具１を示しており、図２は、背面斜視図で容器の首部１２にある閉蓋具１を示している。
【００４４】
閉蓋具１は、リング状下部部分２（本体部）及びキャップ状上部部分３（蓋部）を備えており、これらはスナップヒンジ４によって相互連結されている。図示の実施形態のヒンジは、本体部２と蓋部３との間にメインヒンジ連結部を有していない。スナップヒンジ４は、第１の台形要素５及び第２の台形要素５を備えており、そのそれぞれは、ヒンジ６によって本体部２及び蓋部３に連結されている。ヒンジ要素６は、薄いウェブ状の材料からなるフィルムヒンジとして具現化される。ここで、互いに間隔を置いている二つの台形要素５は、切開部９によって仕切られている。特定の実施形態において、中間要素５は、少なくとも一つの追加的なフィルムヒンジ（この実施形態では見えない）によって直接又は間接に互いに連結されてもよい。このような連結部は、ヒンジを弱いものとしたり、開放角に限界をもたらしたりする可能性がある。良好なヒンジ性能を得るために、フィルムヒンジ６，７は直線状に設計されるべきである。
【００４５】
本体部２及び蓋部３は環状のギャップ１０によって仕切られており、このギャップ１０には、プラスチック材料の引裂き式ブリッジ１１が配置されている。ブリッジ１１は、閉蓋具を最初に開放すると破壊され、閉蓋具の初期開放を示すいたずら防止要素として働く。ブリッジがピラミッド状であるとき、よい結果が得られる。
【００４６】
閉蓋具１は、一部分だけ図示されているボトル１２の首部に配置されている。ボトル１２の開口部は蓋部３に配置されており（見えない）、閉鎖位置において、封止手段によって封止されている。本体部２は、一般的に押すことによってボトル１２の首部に固定される。本体部２の内面には保持手段（見えない）があり、その保持手段は、ボトル１２の首部にある対応要素との係合に適し、閉蓋具１の確実な固定を保証する。閉蓋具１の軸Ａは、大域座標系のＺ軸に平行に配置される。閉蓋具１の正面において、指掛け２０（finger recess）が蓋部３の上縁（upper rim）に見えるように配置されている。
【００４７】
図３は、首部１２の開口部１３の上にある、装着していない状態の閉蓋具を示しており、閉蓋具１の内側が見えるように首部１２に対して９０°回転されている。装着プロセスは、矢印Ｃによって概略的に示される。
【００４８】
閉蓋具１の蓋部３は、環状ギャップ１０に隣接する内面に、三つの第１のロック手段１８を備えており、これらのロック手段は周方向に沿って等間隔に配置され、径方向内方に突出している。閉蓋具１が首部にある閉鎖且つロック状態において、第１のロック手段１８は、首部の外面に配置されている対応する第２のロック手段１９に係合される。これらの第１及び第２の要素は、高い内圧下でさえ、閉蓋具１の予期しない開放を防ぐ。第１のロック手段１８及び第２のロック手段１９は、閉蓋具１の予期しない開放を防ぐバイオネット型掛止機構１５（a bayonet-type latching mechanism）の一部である。中間状態において、第１のロック手段１８及び第２のロック手段１９が整列されていないときには、蓋部３は自由に開けられたり閉められたりすることができるが、閉鎖位置において、第１及び第２のロック手段が互いに整列され係合されているときには、蓋部は容器の首部に確実に保持され、開けることができない。
【００４９】
図３のＦ部の詳細を示す図４からよく理解できるように、第１のロック手段１８の一つは蓋部３の背面部、ヒンジ４のエリアに配置されている。これは、台形要素５及び蓋部３の背面部を横切って延びている（矢印Ｂによって示される）。閉蓋具１を開放及び閉鎖するとき、台形要素５の（逆）移動を妨害しないために、第１のロック手段１８は、ギャップ１０によって三つの部分１８．１，１８．２，１８．３に分割されている。
【００５０】
図５は、側面図で、首部１２の上に装着された閉蓋具１を示している。理解を深めるために、閉蓋具１及び首部１２は、それらの内側を見えるように、部分的に切断されて示されている。
【００５１】
図示実施形態は封止手段２３を備えており、この封止手段は、蓋部１３の内面に配置されている略Ｐ形状の外側下向き脚部２４を備える。外側下向き脚部２４は、閉鎖位置において、首部１２の外面２５と係合する。略円錐状の内側下向き脚部２６が、首部１２の内面２７の上部エリアと係合する。頂部シール２８が首部１２の上端面２９と係合する。図示実施形態の閉蓋具１の封止手段２３は、ポリプロピレン（ＰＰ）、ポリエチレン（ＰＥ、ＨＤＰＥ）等のような外殻材料からなる閉蓋具１の外殻（例えば、本体部２、蓋部３、ヒンジ４等）より柔らかい、例えばＤａｒｅｘ等のような封止材料で作られる。これによって、封止手段２３は閉蓋具１の首部１２に柔軟に適合することが可能となる。内側下向き脚部２６の圧力内面３４は、内圧Ｐにさらされ、内面２７及び／又は上端面２９に、内圧Ｐに比例する圧力がかけられるように配置されている。これによって、その機能性において、頂部シール２８及び外側シール２４によって支持される改良された圧力比例シールが得られる。
【００５２】
図４及び図５から理解できるように、首部１２は、径方向外向きに突出している上側の保持リム３０及び下側の保持リム３１を備える。閉蓋具１が首部１２に取り付けられた装着状態（（図５を参照）において、本体部２の下端面８は、下側の保持リム３１上に立ち、本体部２の内面から径方向内向きに突出しているアンダカット部分３２が、上側の保持リム３０と係合し、閉蓋具１を首部に確実に保持する。
【００５３】
終了位置はストッパ要素（詳しく図示せず）によって示されることができる。蓋部３を開けるために、閉蓋具１は、第１のロック手段１８及び第２のロック手段１９が互いに対して整列しなくなるまで反対方向に回転される。その後、蓋部３は、ブリッジ１１が壊れるまで、指掛け２０のエリアにおいて持ち引き上げられる。蓋部３は、その後、封止手段２３が開放されるまでヒンジ４を中心に更に開けられる。最終的には、蓋部３は開放位置で終わる（詳しく図示せず）。
【００５４】
図６〜図１１は、本発明によるヒンジ付き閉蓋具１の更なる実施形態の異なる図面を示している。図６は正面図で閉蓋具を示し、図７は左側からの側面図にあり、図８は背面図にあり、図９は平面図にあり、図１０は正面からの第１の斜視図にあり、図１１は背面からの第２の斜視図にある。
【００５５】
閉蓋具１はリング状下部部分２（本体部）及びキャップ状上部部分３（蓋部）を備え、これらはスナップヒンジ４によって連動して機能的に相互連結されている。この実施形態の下部部分２及び上部部分３は、円筒状になっており、原則として同じ外径Ｄを有する。したがって、ヒンジ装置４は垂直（Ｚ軸に平行）に配置されており、閉蓋具１を作るための金型の費用効率の高い配置に関連して、作業場の空間をかなり節約する（ＸＹ面）。閉蓋具１の正面において、指掛け２０は見えるように蓋部３に配置されている。蓋部３の外面には、簡単に掴むことができ、開けるために閉蓋具を回すべきであることを表示する垂直の刻み目１４がある。蓋部３の正面にある周方向の刻み目１７は、開けるとき、蓋部３の持上げを容易化することができる。
【００５６】
理解できるように、図示実施形態のヒンジ装置４は、本体部２と蓋部３との間にメインヒンジ連結部を含んでいない。その結果として、閉蓋具の部品２，３は、互いに対して円周経路上では動くことができない。スナップヒンジ４は、二つのヒンジ６によって、本体部２及び蓋部３にそれぞれ連結されている第１及び第２の台形要素５を備えており、ヒンジ６は、閉蓋具１の外面に掘り下げられて配置されている。ヒンジ要素６は薄いウェブ状の材料からなるフィルムヒンジとして具現化される。この実施形態において、台形要素５は垂直のフィルムヒンジ７によって互いに連結されており、それは、ヒンジ装置４の強度（stronger）及びねじり上の剛性(torsionally stiffer)を向上させる。
【００５７】
本体部２及び蓋部３は環状ギャップ１０によって仕切られており、そこに、引裂き式ブリッジ１１や薄いウェブ状材料部１６の形態の折れやすい要素が配置されている。ブリッジ１１及び薄いウェブ状材料部１６は、初期開放のときに壊れて、閉蓋具１の初期開放を示すいたずら防止手段として働く。ピラミッド形状の引裂き式ブリッジ１１は、一般的にヒンジ装置に対向して配置されると共に、薄いウェブ状材料部１６は、ヒンジ装置４の両側の近傍に配置される。折れやすい要素１１，１６の特定の配置及び設計によって、閉蓋具を開けるとき、ガスの抜けを制御することが可能となる。
【００５８】
射出成形金型（図示せず）が、外側の少なくとも一部分を形成する二つのスライダ（両方とも図示せず）のみを必要とするように、閉蓋具１が設計されている。一実施形態において、二つのスライダは、垂直面（ＹＺ面）に沿って、閉蓋具の中心において接合し、開閉時にはＸ方向に移動する。
【００５９】
理解されるように、閉蓋具１は首部１２を部分的に覆いながら首部に配置される。首部２１の詳細な説明及び構成は、図１２及び図１３の説明において与えられる。首部１２の開口部は蓋部３の内側に配置され、閉鎖位置において、封止手段によって閉じられる（図１２、図１３及び図１４を参照）。
【００６０】
図１２及び図１３は、首部１２の開口部１３の上にある、装着されていない閉蓋具１を示しており、閉蓋具１の内側が見えるように首部１２に対して９０°回転されている。装着プロセスは、矢印Ｃによって概略的に表わされる。
【００６１】
閉蓋具１の本体部２は、一般的に垂直方向（矢印Ｃによって表示されている）において加圧されることによってボトル１２の首部に固定され、第１及び第２の保持リム３０，３１によって位置に保持される。第１及び第２の保持リム３０，３１は、対応する第１及び第２のアンダカット部分３２と相互に連結され、その第１及び第２のアンダカット部分３２は、閉蓋具の本体部２の内面に配置されており、部品のないエリア３５によって離れて配置されている。その周方向の間隔は、閉蓋具１が首部１２に対して６０°回転できるように選ばれている。これによって、径方向における閉蓋具１の相対移動は、上側の保持リム３０と下側の保持リム３１との間に配置されている二つの垂直のリブ４０によって定められている。図示実施形態にあるリブ４０は、互いに対向して、１８０°の角度で配置されており、蓋部２のロック位置及びアンロック位置を示すストッパ要素（それぞれ、バイオネット部分１８及び１９）として働く。
【００６２】
閉蓋具１が首部１２に装着される際、アンダカット部品３２が上側の保持リム３１を乗り越えることができるように、閉蓋具１のベース部２が周方向に引き伸ばされなければならない。したがって、閉蓋具１の装着を容易化するために、上側の保持リム３１は、その上端において、約３０°〜５０°の角を有する斜面３３を備えている。保持リム３０と保持リム３１との間において、垂直方向にある境界面が一般的に互いに平行に配置されている。
【００６３】
閉蓋具１の蓋部３の内面には、環状ギャップ１０の上方の位置に、三つのバイオネット部分１８（第１のロック手段）が設けられており、これらは、図示実施形態において、周方向に等間隔に配置されており、径方向内方きに突出している。閉蓋具１が首部１２に装着された閉鎖及びロック状態において、第１のロック手段１８は、首部１２の外面に配置されている対応する第２のバイオネット部分１９と係合する。第１のロック手段１８及び第２のロック手段１９は、閉蓋具１の予期しない開放を防ぐバイオネット型掛止機構の一部分である。第１のロック手段と第２のロック手段とが整列しない中間状態において、蓋部３は自由に開閉することができる。しかし、第１のロック手段１８及び第２のロック手段１９が整列され、互いに係合する閉鎖位置において、蓋部３は首部１２に確実に保持され、開けることができない。
【００６４】
図１〜図５による実施形態との相違点は、第１のバイオネット部分がヒンジ４の内側を横切って配置されていないことである。その代わりに、二つの第１のバイオネット部品１８．４及び１８．５がヒンジ４の近くに配置され、三つ目の第１のバイオネット部分１８．６がヒンジ４に対向して、閉蓋具１の蓋部の正面エリアに配置されている。
【００６５】
蓋部３が閉蓋具２の本体部に対してヒンジ装置４によって定められた経路で移動されるとき、蓋部３が首部１２の上方で整列された場合、第１及び第２のバイオネット部分１８，１９が第１方向（Ｚ軸）において互いに噛み合うように、第１及び第２のバイオネット部分１８，１９は設計され配置されている。第１及び第２のバイオネット部分が互い対して整列された場合、次いで、閉蓋具１の少なくとも蓋部３を首部に対して軸Ａを中心に特定角度（例えば６０°）回転させることによって、蓋部３を首部１２に相互連結することが可能となり、第１及び第２のバイオネット部分１８，１９は確実に互いに噛みあい、閉鎖位置において、閉蓋具１の蓋部３が保持され、Ｚ方向における軸の相対移動がないようロックされる。
【００６６】
上記のように、首部１２に対する蓋部３の回り過ぎ及び／又は脱落を避けるために、特に開放及び閉鎖位置において、第１及び第２のストッパ要素３２，４０は互いに作用して、蓋部３がヒンジ装置４によって画成された経路で移動できないときのロック位置及び蓋部３がヒンジ装置４によって画成された経路上を移動しようと準備するときのアンロック位置を正確に画成すると考えられる。ストッパ要素は、バイオネット部分１８及び１９の高さ位置に配置され、又はバイオネット部分１８及び１９に組み込まれ得るが、図示実施形態において、ストッパ要素３２，４０は閉蓋具の下部部分（本体部）２の高さ位置に配置されている。これは、バイオネット部分１８，１９の構成をより単純にする利点を有し、また、負荷（例えば、高い内圧）の大部分を支持するバイオネット部分１８，１９が、より大きな負荷を支持することができるように、これらの部品を周方向により長くすることができるという利点を有している。安全性を高めるために、ストッパ要素の数は、適宜に増加することができ、これによって、バイオネット部分１８，１９に対応して適当に間隔をあけることが重要である。
【００６７】
適切な場合には、首部１２に対して蓋部３を回転させることによって、蓋部３にあるシール２６が首部１２に密に引き当てられ、又はシール２６が首部１２から制御可能に解放されるように、バイオネット部分１８，１９を設計し配置することができる。これは、例えば、第１及び第２のバイオネット部分１８，１９が、周方向に対して所定のリード角で少なくとも部分的な螺条形状で配置されるか、斜面を備えるかする（それぞれ導入部分）ことで達成され得る。適切な場合には、バイオネット部分１８，１９は、閉蓋具の軸Ａに対して同じ高さで、且つ、周方向において横方向に等間隔で配置され、或いは、異なる高さ（Ｚ方向）で互い違いに配置される。効率を向上させるために、バイオネット部分１８，１９は、垂直方向（Ｚ方向）で間隔を置いて複数列で配置されてもよい。
【００６８】
ここに記載の実施形態の首部１２は、アンダカットを離型するための追加的なスライダのない射出成形金型（図示せず）によって、効果な方法で作られることができるように設計されている。したがって、首部１２のバイオネット部分１９及び垂直リブ４０は、破線４１によって概略的に表示された金型分離面に対して整列される。その金型分離面は、ＹＺ面に略平行に配置され、首部が最大直径を有する開口部の中間を通って延びている。
【００６９】
閉蓋具１の内面は、最大内径Ｄｉを有する閉蓋具１の主要内側壁面４２の上方にて径方向に突出する特徴がないように設計されている。これによって、閉蓋具１は、簡単な方法で、閉蓋具１を作るための金型から除去されることができ、且つ、金型設計がより単純となる。図１３から理解できるように、ヒンジ設計もこの考え方に従う。すなわち、ヒンジ装置４の内側は、少なくとも、概ね平らに設計されているフィルムヒンジ６のエリアにある。
【００７０】
図示のような閉蓋具１は、市場で入手可能なような既存機械によって装着されるように設計されている。これによって、閉蓋具は首部１２の上方に配置され、その後、図１２及び図１３においてラインＣによって概略的に示したように、首部１２に係合するまで垂直（Ｚ方向）に押される。
【００７１】
閉蓋具１を首部１２に装着している際、閉蓋具１は、首部の上方に配置されたとき、閉蓋具１が押されてアンダカット部分３２が上側の保持リム３１と係合する前に、閉蓋具１と首部１２のバイオネット部分１８，１９が整列されるまで、その軸Ａを中心に回転されることが好ましい。これによって、バイオネット部分１８，１９への損傷が減少するであろう。バイオネット部分１８，１９の数がストッパ要素３２，４０の数に対応する場合、一般的に、回転対称のセットアップの故に、適当な整列を保証する付加的な特徴は必要でない。しかしながら、図示の実施形態において、バイオネット部分の数がストッパ要素３２，４０の数に対応しないという理由により、装着時には閉蓋具が適当に整列することを確実にする必要がある。したがって、閉蓋具１は、バイオネット部分１８，１９又はストッパ要素３２，４０が互いに係合する前に、閉蓋具１を首部１２に対して整列させるように配置されたアライナ（aligner）４５（図１２を参照）を備える。図１３から理解できるように、図示実施形態のアライナ４５は、閉蓋具１のアンダカット部分３２と下端面８との間にある主要内側壁面４２に沿って、閉蓋具１の内面に垂直方向（Ｚ方向）で延びている。アライナ４５は、閉蓋具が装着されるときに、上側の保持リム３２における、アライナ４５を受けるに適した対応の切欠き４６（図１３を参照）が係合するという状態で、首部１２に対して閉蓋具１を整列させる。
【００７２】
装着するとき、まず、閉蓋具１が首部１２に対して水平方向に整列されるように、閉蓋具１は首部１２の上方に持って行かれる。閉蓋具１は、アライナ４５が斜面３３と接触するまで、首部１２の方向に移動される。その後、閉蓋具１は、アライナ４５が切欠き４６と係合するまで、その軸を中心に回転され、そして、閉蓋具１は首部１２に対して下方の位置に落とし込まれる。アライナ４５が切欠き部４６に係合するとき、バイオネット部分及びストッパ要素３２，４０も、閉蓋具１の初期装着のために適当な位置にある。閉蓋具１が首部１２の方向に押される状態において、アンダカット部分３２は斜面３３に沿って摺動し、閉蓋具１の下部部分２は、アンダカット部分３２が上側の保持リム３０と下側の保持リム３２との間にある溝４３に落とし込まれるまで、周方向に沿って引き延ばされる。
【００７３】
図１４は、首部１２に装着された閉蓋具１を概略図で示している。よく理解できるように、閉蓋具１は、その内側及び閉蓋具１と首部１２との間の連結を表すことができるように部分的に切り取られて表示されている。
【００７４】
図示の実施形態は、略Ｐ形状にある外側下向き脚部２４を有する第１の封止手段２３を備えている。外側下向き脚部２４は、蓋部３の内面に配置され、蓋部３の内側端面２２から垂直に延びている。閉鎖位置において、外側下向き脚部２４は、首部１２の外面２５と気密的に接触する。ここに図示の閉蓋具１は、首部１２の内面２７の上部エリアに係合する円錐形状の内側下向き脚部２６を備えている。頂部シール２８の形状にある第３の封止手段は、首部１２の上端面２９に係合される。図示実施形態における閉蓋具１の封止手段２３は、少なくとも部分的に、ポリプロピレン（ＰＰ）、ポリエチレン（ＰＥ、ＨＤＰＥ）等のような外殻材料からなる閉蓋具１の外殻（本体部２、蓋部３及びヒンジ４等）より柔らかい、例えばＤａｒｅｘ等のような封止材料で作られる。これによって、封止手段２３は閉蓋具１の首部１２に柔軟に適応することが可能となる。内側下向き脚部２６の内圧面３４は、内圧Ｐに露出されて、内面２７及び／又は上端面２９に内圧Ｐに比例して加圧されるように配置されている。これによって、その機能性において、頂部シール２８及び外側シール２４によって支持される、改良された圧力比例シールをもたらす。適用分野に応じて、他の外側シール構造を用いてもよい。理解されるように、閉蓋具は、バイオネット部分の上方にある上部エリアにおいて、バイオネット部分１８の下方にある下部エリア３９に比べて著しく厚い壁厚を有する。これによって、閉蓋具１を封止手段２３のエリアで起こる高い内圧に抵抗して、さらに閉蓋具１を可能な最小限の重量に保つことが可能となる。
【００７５】
図１５及び図１６は、正面（図１５）及び背面（図１６）で、首部１２と係合している閉蓋具１を示している。隠れ線は点線として示す。閉蓋具１が首部１２に取り付けられているとき、本体２の下端面８は下側の保持リム３１上に立っており、本体２の内面から径方向内方に突出しているアンダカット部品３２は上側の保持リム３０に係合して、閉蓋具１を首部に適所にしっかりと保持している。バイオネット部分１８，１９が互いに係合しているロック状態において、閉蓋具１が首部１２上にあるところが図示されている。
【００７６】
図１７及び図１８は、蓋部３が首部１２の開口部１３から離れて配置されている開放状態における閉蓋具を示している。上記のようにヒンジ装置４によって得られる開放角αは１８０°を超える。これによって、蓋部３は目的の達成を阻害せず、蓋部３は開口部から出た所となる。首部１２は、ヒンジ４によって案内される蓋部３を動かすことによって開放され、ベース部２の上方にある元の位置に戻すことができる。開放状態において、ヒンジ装置４はその第２の安定位置にある。これによって、ヒンジ６及び垂直ヒンジ７は逆位置に曲げられる。ヒンジ装置が蓋部３及びベース部２に直接連結されているメインヒンジを備えてもよい場合、１８０°を超えない開口角となろう。
【００７７】
図１９及び図２０は、側面（図１９）及び正面斜視（図２０）で、閉蓋具１及び首部１２の更なる実施形態を示している。閉蓋具１及び首部１２は、一般的に、上記実施形態に関連して記載したように似ている構成を有し、したがって、再び詳細に記載しない。前記実施形態と異なり、第１及び第２のバイオネット部分１８，１９は、水平面（ＸＹ面）に対してリード角βで、螺条形状で少なくともその相互作用面に沿って配置されている。バイオネット部分１８，１９及びヒンジ装置４は、閉蓋具１の蓋部３を開放又は閉鎖するとき、蓋部３の限られた傾動によって、ヒンジ装置４の存在が支障を起こさないように設計され、配置されている。これは、例えば、蓋部３を開放及び閉鎖するとき、全てのバイオネット部分１８，１９が完全に係合ないしは支持されないようにバイオネット部分１８，１９が設計された状態で、達成することができる。
【００７８】
この実施形態から理解できる更なる相違点は、首部１２に配置されている第２の螺条部分１９は周方向に延びている長さを有する。螺条部分１９の角度を成す配置、及び適切な場合に螺条部分１９の延長された長さは、閉蓋具１の蓋部３を開放するとき、適当な通気を起こすことができる。
【図面の簡単な説明】
【００７９】
【図１】前方から表した閉蓋具の斜視図である。
【図２】後方から表した図１による閉蓋具の斜視図を示す。
【図３】首部の上にある図１による閉蓋具を示す。
【図４】拡大された図３のＦ部の詳細を示す。
【図５】容器の首部に嵌められた閉蓋具を示す。
【図６】正面図で表された首部に嵌められた閉蓋具の更なる実施形態である。
【図７】側面図で表された図６による閉蓋具である。
【図８】背面図で表された図６による閉蓋具である。
【図９】平面図で表された図６による閉蓋具である。
【図１０】前方から表した図６による閉蓋具の斜視図である。
【図１１】後方からの斜視図で表した図６による閉蓋具の斜視図である。
【図１２】首部の上の位置にある、図６による閉蓋具の第１斜視図である。
【図１３】首部の上の位置にある、図６による閉蓋具の第２斜視図である。
【図１４】斜視図で示された首部に配置されている部分的に切り取られた閉蓋具である。
【図１５】透明性のある方法で示された首部には位置されている閉蓋具の正面図である。
【図１６】図１５による閉蓋具を示す側面図である。
【図１７】開かれた状態にある閉蓋具の側面図である。
【図１８】図１７による閉蓋具の斜視図である。
【図１９】開かれた状態にある閉蓋具の更なる実施形態を示す側面図である。
【図２０】図１９による閉蓋具の斜視図である。
【図１】
2009507732.tif 000003
【図２】
2009507732.tif 000004
【図３】
2009507732.tif 000005
【図４】
2009507732.tif 000006
【図５】
2009507732.tif 000007
【図６】
2009507732.tif 000008
【図７】
2009507732.tif 000009
【図８】
2009507732.tif 000010
【図９】
2009507732.tif 000011
【図１０】
2009507732.tif 000012
【図１１】
2009507732.tif 000013
【図１２】
2009507732.tif 000014
【図１３】
2009507732.tif 000015
【図１４】
2009507732.tif 000016
【図１５】
2009507732.tif 000017
【図１６】
2009507732.tif 000018
【図１７】
2009507732.tif 000019
【図１８】
2009507732.tif 000020
【図１９】
2009507732.tif 000021
【図２０】
2009507732.tif 000022
【国際調査報告】
2009507732.tif 000023
2009507732.tif 000024